(57)【要約】【課題】部品点数を削減することができるとともに、作業効率を向上しつつ、カバー内に表示灯から発せられる光が反射して生じる光の映り込みを防止して鮮明な映像を得ることができる撮像装置を提供する。【解決手段】撮像装置１において、撮像部３１と、撮像部３１の撮影を制御する制御部３３と、撮像部３１及び制御部３３に電源を供給する電源部３４と、電源部３４から供給される電源によって発光する表示灯３３２と、収納凹部２Ａを有し、この収納凹部に撮像部３１、制御部３３、電源部３４及び表示灯３３２を収納する撮像装置筐体２と、着脱自在に前記収納凹部を塞ぐ光透過性を有するカバー６と、制御部３３に接続され、撮像部３１の撮影の設定を行うための操作スイッチ３３５と、を備え、操作スイッチ３３５の操作によって撮像部３１の撮影の設定が実行されるとともに、表示灯３３２の点灯及び消灯が行われる。【選択図】図１
2011023911.tif 000002
【特許請求の範囲】
【請求項１】
撮像部と、
前記撮像部の撮影を制御する制御部と、
前記撮像部及び前記制御部に電源を供給する電源部と、
前記電源部から供給される電源によって発光する表示灯と、
収納凹部を有し、この収納凹部に前記撮像部、前記制御部、前記電源部及び前記表示灯を収納する撮像装置筐体と、
着脱自在に前記収納凹部を塞ぐ光透過性を有するカバーと、
前記制御部に接続され、前記撮像部の撮影の設定を行うための操作スイッチと、を備え、
前記操作スイッチの操作によって前記撮像部の撮影の設定が実行されるとともに、前記表示灯の点灯及び消灯が行われることを特徴とする撮像装置。
【請求項２】
撮像部と、
前記撮像部に電源を供給する電源部と、
前記電源部から供給される電源によって発光する表示灯と、
収納凹部を有し、この収納凹部に前記撮像部、前記電源部及び前記表示灯を収納する撮像装置筐体と、
着脱自在に前記収納凹部を塞ぎ、透明かつ光量を減少させる特性を有するカバーと、
前記カバーを前記収納凹部に取り付けた状態及び前記カバーを取り外した状態において照度に基づいて、前記カバーを取り付けた状態において前記表示灯を消灯させ、前記カバーを取り外した状態において前記表示灯を点灯させる照度検出部と、
を備えたことを特徴とする撮像装置。
【発明の詳細な説明】
【技術分野】
【０００１】
本発明は、撮像装置に関し、特に、監視用カメラや防犯カメラとして使用され、撮像部及び電源部を内部に収納する撮像装置筐体の収納凹部に着脱自在に光透過性のカバーが装着された撮像装置に関する。
【背景技術】
【０００２】
事故や災害を未然に防ぐ安全対策や不法侵入者に対する防犯対策等を目的として、屋内や屋外を問わず監視カメラ（又は防犯カメラ）が設置されている。監視カメラとしてドーム型監視カメラが知られており、このドーム型の監視カメラは、一般的に、カメラ本体を含むカメラユニットと、このカメラユニットを内部に収納し屋内や屋外に設置するための装置筐体と、この装置筐体のカメラ本体側の窓に装着されたドームカバーとを備えている。カメラユニットには、カメラ本体の他に、カメラ本体の動作等を制御する制御部、カメラ本体や制御部に電源を供給する電源部等が含まれている。ドームカバーは、半球形状の無色透明か若しくは灰色を含む有色透明のカバーであり、撮影の際のレンズとして機能するとともに、カメラユニットを保護する装置筐体の蓋のような機能を備えている。
【０００３】
監視カメラを新たに設置する場合、又は既に設置された監視カメラのメンテナンス作業や補修作業を行う場合、設置や作業完了前後において、監視カメラの正常な動作状態を作業者が確認することができれば、作業効率を向上することができる。例えば、監視カメラを新たに設置した後に、遠隔モニタを用いて監視カメラからの映像を確認しようとした場合、電源部の故障、電源の供給配線の不備、カメラ本体自体の故障等が発生すると、カメラ本体の動作に必要な電源が供給されないので、監視カメラは正常に動作せず、監視することができない。このような場合には、新しい監視カメラを再度設置するか、又は設置された監視カメラの修理を行うか、いずれにしても作業効率は低下する。
【０００４】
このような課題を解決するために、装置筐体のドームカバー外側であってその側面等に表示灯が配設された監視カメラが開発されている。この表示灯はカメラ本体の動作に必要な電源が正常に供給されているときに発光するように設定されている。表示灯には、消費電力が少なく、安価な発光ダイオード（ＬＥＤ）が使用されている。この監視カメラを使用すれば、設置した後に、或いはメンテナンス作業や補修作業を終了した後に、その場において監視カメラの動作が正常か否かを確認することができるので、作業効率を向上することができる。
【０００５】
ところが、監視カメラが動作状態にあると表示灯が点灯しているので、被監視者は、監視されていることを感知し、監視カメラの存在を意識してしまう。例えば、被監視者が不法侵入者である場合には未然に不法侵入を防止することができるという効果はあるものの、逆に監視カメラの設置場所が把握されてしまい、監視カメラの設置場所を迂回する可能性を否定することができない。
【０００６】
監視カメラのドームカバー内に表示灯を組み込めばこのような問題点を解決することができる。しかしながら、表示灯の光がドームカバー内面に反射し、監視カメラの映像に表示灯が映り込む場合があり、その場合には映像が不鮮明になる。従って、監視カメラにおいて、ドームカバー内に表示灯を組み込むことを避ける必要があった。
【０００７】
下記特許文献１には、カメラヘッドから得られる信号の処理部が構成された回路基板に、表示器の点灯状態と消灯状態とをスイッチの操作により選択的に制御可能な状態表示手段を備えた監視用ドームカメラの状態表示装置が開示されている。この状態表示装置を採用すれば、スイッチ操作により表示器を点灯状態に選択することによって、監視用ドームカメラの設置、メンテナンス作業又は補修作業において表示器の点灯状態からカメラヘッドの動作状態を確認することができる。一方、スイッチの操作により表示器を消灯状態に選択することによって、被監視者に対して監視用ドームカメラの存在を意識させることがなくなる。
【先行技術文献】
【特許文献】
【０００８】
【特許文献１】特開２００８−２７８２５３号公報
【発明の概要】
【発明が解決しようとする課題】
【０００９】
しかしながら、前述の特許文献１に開示された監視用ドームカメラの状態表示装置においては、以下の点について配慮がなされていなかった。前述の監視用ドームカメラの状態表示装置の回路基板に作業者が直接操作するスイッチを新たに組み込む必要があり、状態表示装置の部品点数が増大する。この部品点数の増大は、単に部品の増加に伴うコストの増大にとどまらず、スイッチの配線も含めて状態表示装置の全体の製作コストの増大を招く。
【００１０】
本発明は上記課題を解決するためになされたものである。従って、本発明は、部品点数を削減することができるとともに、作業効率を向上しつつ、カバー内面に表示灯から発せられる光が反射して生じる映り込みを防止して鮮明な映像を得ることができる撮像装置を提供することである。更に、本発明は、製作コストを削減することができる撮像装置を提供することである。
【課題を解決するための手段】
【００１１】
上記課題を解決するために、本発明の実施例に係る第１の特徴は、撮像装置において、撮像部と、撮像部の撮影を制御する制御部と、撮像部及び制御部に電源を供給する電源部と、電源部から供給される電源によって発光する表示灯と、収納凹部を有し、この収納凹部に撮像部、制御部、電源部及び表示灯を収納する撮像装置筐体と、着脱自在に収納凹部を塞ぐ光透過性を有するカバーと、制御部に接続され、撮像部の撮影の設定を行うための操作スイッチと、を備え、操作スイッチの操作によって撮像部の撮影の設定が実行されるとともに、表示灯の点灯及び消灯が行われることである。
【００１２】
第１の特徴に係る撮像装置において、表示灯の一端は電源部に接続されるとともに、表示灯の他端は第１の抵抗を通して制御部及び操作スイッチの一端に接続され、操作スイッチの他端は電源よりも低い基準電源に接続され、表示灯の一端と操作スイッチの一端との間には第１の抵抗よりも抵抗値の高い第２の抵抗が第１の抵抗に電気的に並列に接続されていることが好ましい。
【００１３】
第１の特徴に係る撮像装置において、操作スイッチは撮像部の撮影の設定メニューを表示するためのメニュースイッチであることが好ましい。また、第１の特徴に係る撮像装置において、操作スイッチは撮像部の撮影の設定メニューに従って設定された内容を確定する設定スイッチであることが好ましい。
【００１４】
第１の特徴に係る撮像装置において、制御部は、タイマー機能を備え、このタイマー機能を用いて操作スイッチを投入した後に、表示灯に一定時間電源を供給して点灯状態にすることが好ましい。
【００１５】
第１の特徴に係る撮像装置において、表示灯及び操作スイッチは電源部に接続された回路基板上に実装され、表示灯は発光ダイオードであることが好ましい。
【００１６】
本発明の実施例に係る第２の特徴は、撮像装置において、撮像部と、撮像部に電源を供給する電源部と、電源部から供給される電源によって発光する表示灯と、収納凹部を有し、この収納凹部に撮像部、電源部及び表示灯を収納する撮像装置筐体と、着脱自在に収納凹部を塞ぎ、透明かつ光量を減少させる特性を有するカバーと、カバーを収納凹部に取り付けた状態及びカバーを取り外した状態において照度差に基づいて、カバーを取り付けた状態において表示灯を消灯させ、カバーを取り外した状態において表示灯を点灯させる照度検出部とを備える。
【００１７】
第２の特徴に係る撮像装置において、カバーはスモーク又はハーフミラーの半透明性を有し、照度検出部はカバーを取り付けた状態又は取り外した状態において明暗を検出するフォトセンサを有することが好ましい。
【発明の効果】
【００１８】
本発明によれば、部品点数を削減することができるとともに、作業効率を向上しつつ、カバー内面に表示灯から発せられた光が反射して生じる映り込みを防止して鮮明な映像を得ることができる撮像装置を提供することができる。更に、本発明によれば、製作コストを削減することができる撮像装置を提供することができる。
【図面の簡単な説明】
【００１９】
【図１】本発明の実施例１に係る撮像装置の全体外観図である。
【図２】図１に示す撮像装置の撮像ユニットの回路ブロック図である。
【図３】図１に示す撮像装置の表示灯及び操作スイッチを含む部分回路図である。
【図４】図１に示す撮像装置の表示灯の点灯動作及び消灯動作を説明するフローチャートである。
【図５】本発明の実施例２に係る撮像装置の撮像ユニットの回路ブロック図である。
【図６】図５に示す撮像装置の表示灯の点灯動作及び消灯動作を説明するフローチャートである。
【図７】本発明の実施例３に係る撮像装置の全体外観図である。
【図８】図７に示す撮像装置の撮像ユニットの回路ブロック図である。
【図９】実施例３の変形例に係る撮像装置の全体外観図である。
【発明を実施するための形態】
【００２０】
次に、図面を参照して、本発明の実施例を説明する。以下の図面の記載において、同一又は類似の部分には同一又は類似の符号を付している。但し、図面は模式的なものであり、現実のものとは異なる。また、図面相互間においても互いの寸法の関係や比率が異なる部分が含まれている場合がある。
【００２１】
また、以下に示す実施例はこの発明の技術的思想を具体化するための装置や方法を例示するものであって、この発明の技術的思想は各構成部品の配置等を下記のものに特定するものでない。この発明の技術的思想は、特許請求の範囲において、種々の変更を加えることができる。
【００２２】
（実施例１）
本発明の実施例１は、撮像装置として固定型の監視用ドームカメラ（又は防犯用ドームカメラ）に本発明を適用した例を説明するものである。
【００２３】
［撮像装置の構成］
図１及び図２に示すように、実施例１に係る撮像装置１は、映像を撮影する撮像部３１と、撮像部３１の撮影を制御する制御部３３と、撮像部３１及び制御部３３に電源を供給する電源部３４と、電源部３４から供給される電源によって発光し、撮像部３１及び制御部３４の動作状態を表示する表示灯３３２と、撮像部３１の撮像側に開口を持った収納凹部２Ａを有し、この収納凹部２Ａ内に撮像部３１、制御部３３、電源部３４及び表示灯３３２を収納する撮像装置筐体２と、収納凹部２Ａに着脱自在に取り付け及び取り外しが行え、この収納凹部２Ａを塞ぐ光透過性を有するカバー６と、制御部３４に接続され、撮像部３１の撮影の設定を行うための第１の操作スイッチ３３５とを備えている。そして、第１の操作スイッチ３３５の操作によって撮像部３１の撮影の設定が実行されるとともに、この第１の操作スイッチ３３５の操作によって表示灯３３２の点灯及び消灯が行われる。
【００２４】
撮像部３１、制御部３３、電源部３４及び表示灯３３２は、図２に示すように、信号処理部３２及びオンスクリーン部３５と併せて撮像ユニット３を構築している。この撮像ユニット３は撮像装置筐体２の収納凹部２Ａ内に取り付けられている。更に、この撮像ユニット３の撮像部３１の先端側には光学レンズ３６が配設されている。
【００２５】
撮像部３１はカメラであり、実施例１において撮像素子としてＣＣＤ（電荷結合素子）を用いたカメラが使用されている。撮像部３１は、光学レンズ３６、カバー６のそれぞれを通して映し出される例えば被監視者や被監視場所の映像を撮影する。
【００２６】
電源部３４は撮像ユニット３の電源端子３０４を通して図示しない電源ケーブルに接続され、この電源ケーブルを通して外部から電源部３４に電源が供給される。また、電源部３４は撮像ユニット３の映像出力端子３０３を通して図示しない同軸ケーブルに接続され、この同軸ケーブルを通してそれに重畳された電源が電源部３４に供給される。電源部３４は、主として商用電源から撮像装置１の内部において使用される電源を生成し、撮像部３１、制御部３３、信号処理部３２、オンスクリーン部３５及び表示灯３４１の各部にこの生成された電源を供給する。
【００２７】
信号処理部３２は、撮像部３１から出力されるアナログ映像信号をデジタル映像信号に変換し、更にシャープネス処理、コントラスト処理、ガンマ補正処理、ホワイトバランス処理、白傷処理等の各種信号処理を行う。この信号処理が行われた映像信号はオンスクリーン部３５に出力される。
【００２８】
オンスクリーン部３５は撮像部３１を用いて撮像された映像を映し出す外部のディスプレイ（モニタ）に対し設定画面を画面として表示させる機能を有する。このオンスクリーン部３５からの映像信号をディスプレイに表示させてディスプレイに映し出す映像の水平方向や垂直方向の位置の調整、ゆがみの補正、コントラストの調整、明るさの調整等の各種調節を行うことができる。
【００２９】
制御部３３は、撮像ユニット３の撮像部３１、信号処理部３２、電源部３４及びオンスクリーン部３５の各部に接続されるとともに、第１の操作端子３１１及び第２の操作端子３２１に接続されている。制御部３３は、中央演算処理ユニット（ＣＰＵ）、読み出し専用メモリ（ＲＯＭ）、書き込み読み出し可能なメモリ（ＲＡＭ）、ハードディスク（ＨＤ）等を備え、撮像装置１の動作制御を司る。
【００３０】
第１の操作端子３１１には第１の操作スイッチ３３５が接続され、この第１の操作スイッチ３３５は実施例１においてメニュースイッチである。メニュースイッチは、その投入によって、制御部３３及びオンスクリーン部３５によって撮像装置１の設定メニューを外部のディスプレイに表示させる。ディスプレイに表示された設定メニューには前述の映像の位置の調整等の設定項目が表示される。また、メニュースイッチは、再度投入されると、ディスプレイに表示された設定メニューの表示を解除する。
【００３１】
第２の操作端子３２１には第２の操作スイッチ３３６が接続され、この第２の操作スイッチ３３６は実施例１において設定スイッチである。設定スイッチは、その投入によって、制御部３３及びオンスクリーン部３５によって外部のディスプレイに表示された設定メニューの設定項目の選択を行う。
【００３２】
表示灯３３２は、実施例１において、撮像ユニット３の電源部３４に電気的に接続され、撮像ユニット３に装着された回路基板３３１の収納凹部２Ａの開口側の面に実装されている。回路基板３３１は撮像部３１を中心としてそれよりも大きな平面面積を有する円盤形状により構成され、この回路基板３３１の収納凹部２Ａの開口側の表面には表示灯３３２とともに第１の操作スイッチ３３５及び第２の操作スイッチ３３６が実装されている。表示灯３３２には、例えば消費電力が少なく安価な発光ダイオード（ＬＥＤ）が使用されている。
【００３３】
図３に示すように、実施例１において、表示灯３３２の一端（ここではアノード電極）は電源部３４に接続され、表示灯３３２の他端（ここではカソード電極）は第１の抵抗Ｒ１を通して制御部３３及び第１の操作スイッチ３３５の一端に接続されている。第１の操作スイッチ３３５の他端は電源よりも低い基準電源（ここでは接地電源ＧＮＤ）に接続されている。表示灯３３２の一端と第１の操作スイッチ３３５の一端との間には第１の抵抗Ｒ１よりも抵抗値の高い第２の抵抗Ｒ２が第１の抵抗Ｒ１に電気的に並列に接続されている。すなわち、実施例１に係る表示灯３３２は、第１の操作スイッチ３３５の投入（操作）によって電源部３４から表示灯３３２に電源が流れて点灯状態になり、第１の操作スイッチ３３５の投入を解除することによって電源の流れが遮断されて消灯状態になる。この第１の操作スイッチ３３５は、前述の通りメニュースイッチとしての機能を有するが、実施例１においては表示灯３３２の点灯及び消灯の切換スイッチとしての機能を兼用させている。
【００３４】
なお、ここで、表示灯３３２は、ＬＥＤに限定されるものではなく、撮像装置１の動作を確認することができる表示であればよいので、例えばレーザ、液晶（ＬＣ）、エレクトロルミネッセンス（ＥＬ）、電球、蛍光灯等の表示灯を使用してもよい。
【００３５】
撮像装置筐体２は、図１に示すように、図１中上側の一方に開口を有し、図１中明確には示されていないが下側の他方に底面を有する凹型の容器からなる収納凹部２Ａを備えている。収納凹部２Ａにはその開口を着脱自在に塞ぐカバー６が装着され、この収納凹部２Ａ及びカバー６によって作り出されるキャビティ内部に撮像ユニット３が収納され取り付けられる。撮像ユニット３にはその電源部３４に接続される回路基板３３１が組み込まれているので、回路基板３３１の表面に実装された第１の操作スイッチ３３５、第２の操作スイッチ３３６及び表示灯３３２は撮像装置筐体２の前述のキャビティ内に収納される。撮像装置筐体２は、例えば実質的に光透過性を持たない樹脂又は金属により製作されている。
【００３６】
カバー６は、前述のように撮像装置筐体２の収納凹部２Ａの開口を塞ぐように取り付けられ、そして取り外しを行える。ここでは、カバー６は、広角範囲の撮影を行うためにドーム型形状により構成され、監視や防犯を目的として撮影状態を被監視者等に意識させないように灰色を含む有色透明の樹脂により製作されている。なお、カバー６は、目的に応じて、無色透明なカバーや、無色透明な材料の表面にミラーコーティングを施したカバーであってもよい。
【００３７】
［撮像装置の動作］
前述の撮像装置１の新たな設置作業、メンテナンス作業又補修作業等の作業は以下の通り行われる。まず、屋内若しくは屋外に撮像装置１が設置され、必要な配線工事が終了した後、作業者は撮像装置１の撮像装置筐体２に装着されたカバー６を取り外す。メンテナンス作業並びに補修作業についても同様であり、作業者のカバー６の取り外しから始まる。カバー６が取り外されると、作業者は、撮像装置筐体２内に収納されている撮像ユニット３の回路基板３３１の表面上に配設された第１の操作スイッチ（メニュースイッチ）３３５を操作し電源を投入する。
【００３８】
制御部３３は、図４に示すように第１の操作スイッチ３３５の操作による電源の投入があったか否かを判断する（ステップＳ１。以下、「ステップ」の記載は省略する。）。電源の投入があったと判断されると、制御部３３は、図示しない外部のディスプレイの画面に設定メニューが既に開かれているか否かを判断する（Ｓ２）。設定メニューが開かれていない場合には、外部のディスプレイにおいて設定メニューが開かれる（Ｓ５）。ここで、第１の操作スイッチ３３５の操作による電源の投入があったので、電源部３４から表示灯３３２に電源が供給され、表示灯３３２が点灯状態に保持される。作業者においては、この表示灯３３２の点灯動作によって、撮像部３１等の各部に電源部３４から電源供給が正常に行われていることを確認することができ、作業を進めることができる。
【００３９】
例えば、作業者は、図２に示す映像出力端子３０３と図示しない外部のディスプレイとの間を同軸ケーブルにより接続し、外部ディスプレイに写し出される映像を見ながら撮像部３１の撮像方向（カメラの向き）を調節する。更に、作業者は、外部のディスプレイにおいて表示された設定メニューに従って、第２の操作スイッチ３３６を操作し、例えば映像の水平方向や垂直方向の位置の調整、ゆがみの補正、コントラストの調整、明るさの調整等の各種調節や設定を行う。
【００４０】
電源部３４の故障、配線工事の不備、撮像部３１の故障等の初期異常があった場合には、電源部３４から撮像部３１に電源が供給されないので、表示灯３３２は消灯状態になる。前述のように、撮像装置１と外部ディスプレイとの間を同軸ケーブルによって接続し、各種調節や設定をした後に、このような不具合が発見されると、作業者の作業効率は極めて悪くなる。実施例１に係る撮像装置１においては、各種調節や設定の作業を行う前に、表示灯３３２の点灯動作又は消灯動作に基づいて、電源部３４の故障等の異常を作業者が確認することができ、異常の解析、修復等の作業をその場において実行することができる。
【００４１】
撮像装置１の各種調節の作業、若しくは初期異常があった場合の異常の解析、修復等の作業が終了すると、作業者によって第１の操作スイッチ３３５が再度操作され電源が遮断されると、制御部３３は、第１の操作スイッチ３３５の操作による電源の投入（電源の遮断）があったか否かを判断する（Ｓ１）。電源の遮断があったと判断されると、制御部３３は、外部のディスプレイに既に設定メニューが開かれているか否かを判断する（Ｓ２）。この段階においては、設定メニューが既に開かれているので、外部のディスプレイに表示されていた設定メニューが閉じられる（Ｓ３）。ここで、第１の操作スイッチ３３５の操作による電源の遮断があったので、電源部３４からの表示灯３３２への電源の供給が遮断され、表示灯３３２が消灯状態に保持される。作業者は、撮像装置筐体２の収納凹部２Ａの開口を塞ぐようにカバー６を装着して作業を完全に終了させる。
【００４２】
作業終了後、実際に撮像装置１を用いて監視、防犯を目的として映像が撮影される。このとき、表示灯３３２は消灯状態にあるので、カバー６の内面に表示灯３３２から発せられる光が反射して生じる光の映り込みが無く、鮮明な映像を撮影することができる。
【００４３】
なお、実施例１に係る撮像装置１において、このような表示灯３３２の点灯動作並びに消灯動作は、ＲＯＭ等のメモリに書き込まれたプログラムをＣＰＵにより実行することによって実現されている。
【００４４】
また、実施例１に係る撮像装置１において、表示灯３３２の点灯動作並びに消灯動作は、第１の操作スイッチ（メニュースイッチ）３３５に代えて、第１の操作スイッチ３３５に繋がる第１の抵抗Ｒ及び第２の抵抗Ｒ２と同様の構成を付加し、第２の操作スイッチ（設定スイッチ）３３６により実行してもよい。また、実施例１に係る撮像装置１においては、第１の操作スイッチ３３５及び第２の操作スイッチ３３６を用いて、表示灯３３２の点灯動作並びに消灯動作を実行してもよい。
【００４５】
［撮像装置の特徴］
実施例１に係る撮像装置１においては、第１の操作スイッチ３３５（又は第２の操作スイッチ３３６）を表示灯３３２の点灯動作及び消灯動作を制御するスイッチとして兼用したので、撮影のときのカバー６内面に表示灯３３２から出射された光の反射によって生じる光の映り込みが無く鮮明な映像を得ることができるとともに、設置作業等における動作状態を表示灯３３２の光により確認することができ、作業効率を向上することができる。実施例１に係る撮像装置１においては、第１の操作スイッチ３３５の操作毎に表示灯３３２の点灯及び消灯を制御することができる。
【００４６】
更に、撮像装置１においては、第１の操作スイッチ３３５（又は第２の操作スイッチ３３６）を表示灯３３２の点灯動作及び消灯動作を制御するスイッチとして兼用したので、表示灯３３２の制御に新たにスイッチ等の部品を備える必要がなく、部品点数を削減することができる。この結果、撮像装置１の構造を簡易に実現することができるとともに、製作コストを減少することができる。
【００４７】
（実施例２）
本発明の実施例２は、実施例１に係る撮像装置１において、表示灯３３２の点灯動作並びに消灯動作を変えた例を説明するものである。
【００４８】
［撮像装置の構成］
図５に示すように、実施例２に係る撮像装置１の構成は、撮像装置筐体２の収納凹部２Ａ内に撮像ユニット３を配設し、撮像装置筐体２の収納凹部２Ａの開口を着脱自在に塞ぐカバー６を装着する構成の点において、前述の実施例１に係る撮像装置１と同様である。この実施例２に係る撮像装置１は、表示灯３３２に接続されたタイマー機能３３Ｔを制御部３３に備えた点において、実施例１に係る撮像装置１と相違している。
【００４９】
このタイマー機能３３Ｔは、第１の操作端子３１１に接続された図示しない第１の操作スイッチ３３５（メニュースイッチ。前述の図１乃至図３参照。）に接続され、第１の操作スイッチ３３５を操作した後に表示灯３３２に一定時間電源を供給して表示灯３３２を点灯状態に保持する。一定時間経過後、表示灯３３２は自動的に消灯状態に保持される。この表示灯３３２の点灯動作並びに消灯動作のトリガーとなる指示は、実施例２において第１の操作スイッチ３３５により行っているが、第２の操作スイッチ（設定スイッチ）３３６又は第１の操作スイッチ３３５と第２の操作スイッチ３３６との双方を用いて行ってもよい。
【００５０】
タイマー機能３３Ｔにおいては、制御部３３にメモリ並びにＣＰＵが組み込まれているので、プログラム（ソフトウエア）により構築されている。また、タイマー機能３３Ｔは、ハードウエアとしてのタイマーを制御部３３又は撮像ユニット３内に組み込んでもよい。
【００５１】
［撮像装置の動作］
前述の撮像装置１の新たな設置作業、メンテナンス作業又補修作業等の作業は以下の通り行われる。まず、屋内若しくは屋外に撮像装置１が設置され、必要な配線工事が終了した後、作業者は撮像装置１の撮像装置筐体２に装着されたカバー６を取り外す。メンテナンス作業並びに補修作業についても同様であり、作業者のカバー６の取り外しから始まる。カバー６が取り外されると、作業者は、撮像装置筐体２内に収納されている撮像ユニット３の回路基板３３１の表面上に配設された第１の操作スイッチ（メニュースイッチ）３３５を投入する。
【００５２】
制御部３３は、図６に示すように第１の操作スイッチ３３５の投入があったか否かを判断する（Ｓ１１）。投入があったと判断されると、制御部３３のタイマー機能３３Ｔはタイマー値のプリセットを実行し（Ｓ１２）、タイマー機能３３Ｔのタイマー値がゼロか否かを判断する（Ｓ１３）。タイマー値のプリセットは、作業者が電源部３４の故障、配線工事の不備等の異常を確認することができるのに必要な一定時間に設定されていればよく、例えば１０秒−３０秒程度の一定時間に設定される。タイマー値は、撮像装置１においてデフォルトとして予め設定されていても、又作業者において任意に設定するようにしても、どちらでもよい。なお、ステップＳ１１において、第１の操作スイッチ３３５の投入がなかったと判断された場合には、タイマー機能３３Ｔのタイマー値がゼロか否かを直接判断する（Ｓ１３）。
【００５３】
ステップＳ１３において、タイマー機能３３Ｔのタイマー値がゼロでない場合には、タイマー値のデクリメントが実行される（Ｓ１５）とともに、電源部３４から表示灯３３２に電源が供給され、タイマー値がゼロになるまで表示灯３３２の点灯状態が一定時間保持される（Ｓ１６）。ステップと１３において、タイマー値がゼロになると、表示灯３３２は自動的に消灯状態になる（Ｓ１４）。作業者においては、表示灯３３２の点灯動作によって、撮像部３１等の各部に電源部３４から電源供給が正常に行われていることを確認することができ、作業を進めることができる。
【００５４】
電源部３４の故障、配線工事の不備、撮像部３１の故障等の初期異常があった場合には、電源部３４から撮像部３１に電源が供給されないので、表示灯３３２は消灯状態になる。前述のように、撮像装置１の各種調節や設定をした後に、このような不具合が発見されると、作業者の作業効率は極めて悪くなる。実施例２に係る撮像装置１においては、各種調節や設定の作業を行う前に、表示灯３３２の点灯動作又は消灯動作に基づいて、電源部３４の故障等の異常を作業者が確認することができ、異常の解析、修復等の作業をその場において実行することができる。
【００５５】
この作業が終了すると、作業者によって外部のディスプレイに開かれていた設定メニューが閉じられ、作業者は撮像装置筐体２の収納凹部２Ａにカバー６を装着して作業を完全に終了させる。
【００５６】
作業終了後、実際に撮像装置１を用いて監視、防犯を目的として映像が撮影される。このとき、表示灯３３２は消灯状態にあるので、カバー６の内面に表示灯３３２から発せられる光が反射して生じる光の映り込みがなく、鮮明な映像を撮影することができる。
【００５７】
［撮像装置の特徴］
実施例２に係る撮像装置１においては、第１の操作スイッチ３３５（又は第２の操作スイッチ３３６）を表示灯３３２の点灯動作及び消灯動作を制御するスイッチとして兼用したので、撮影のときのカバー６内面の表示灯３３２からの光の反射によって生じる光の映り込みを無くして鮮明な映像を得ることができるとともに、設置作業等における動作状態を表示灯３３２の光により確認することができ、作業効率を向上することができる。実施例２に係る撮像装置１においては、第１の操作スイッチ３３５が投入されてから一定時間の間、表示灯３３２の点灯状態を保持することができる。
【００５８】
更に、撮像装置１においては、第１の操作スイッチ３３５（又は第２の操作スイッチ３３６）を表示灯３３２の点灯動作及び消灯動作を制御するスイッチとして兼用したので、表示灯３３２の制御に新たにスイッチ等の部品を備える必要がなく、部品点数を削減することができる。この結果、撮像装置１の構造を簡易に実現することができるとともに、製作コストを減少することができる。
【００５９】
（実施例３）
本発明の実施例３は、実施例１に係る撮像装置１において、表示灯３３２の点灯動作並びに消灯動作の操作手法を変えた例を説明するものである。
【００６０】
［撮像装置の構成］
図７及び図８に示すように、実施例３に係る撮像装置１の構成は、撮像装置筐体２に撮像ユニット３を配設し、撮像装置筐体２に着脱自在にカバー６を装着する構成の点において、前述の実施例１に係る撮像装置１と同様である。この実施例３に係る撮像装置１は、カバー６を収納凹部２Ａに取り付けた状態及び収納凹部２Ａからカバー６を取り外した状態において照度を感知し、カバー６を取り付けた状態において表示灯３３２を消灯させ、カバー６を取り外した状態において表示灯３３２を点灯させる照度検出部３３７を備えている。
【００６１】
照度検出部３３７は、図７に示すように、実施例３においては回路基板３３１の表示灯３３２が実装された表面と同一の表面上に実装され、図８に示すように、例えばフォトトランジスタにより構成されたフォトセンサ（照度センサ）を使用する。つまり、この照度検出部３３７は、撮像装置筐体２にカバー６を取り付けてその内部空間（キャビティ内部）がカバー６を取り外した状態よりも暗くなると、制御部３３を通して電源部３４から表示灯３３２に供給される電源を遮断し、表示灯３３２を消灯状態に保持する。また、照度検出部３３７は、撮像装置筐体２からカバー６を取り外して撮像装置筐体２の収納凹部２Ａの当たりが明るくなると、制御部３３を通して電源部３４から表示灯３３２に電源を供給し、表示灯３３２を点灯状態に保持する。つまり、カバー６は光量を減少する特性を有しており、照度検出部３３７は、カバー６を取り付けた状態と取り外した状態との照度差を検出し、表示灯３３２の消灯と点灯とを制御する。
【００６２】
実施例３において、カバー６は、撮像装置筐体２に取り付けた状態と取り外した状態とで照度差を生じるように、灰色を含む有色透明（スモーク）材料か、又は表面にフィルムや金属薄膜をコーティングした無色透明材料若しくは有色透明材料により構成されている。
【００６３】
［撮像装置の動作］
前述の撮像装置１の新たな設置作業、メンテナンス作業又補修作業等の作業は以下の通り行われる。まず、屋内若しくは屋外に撮像装置１が設置され、必要な配線工事が終了した後、作業者は撮像装置１の撮像装置筐体２に装着されたカバー６を取り外す。メンテナンス作業並びに補修作業についても同様であり、作業者のカバー６の取り外しから始まる。カバー６が取り外されると、撮像装置筐体２の収納凹部２Ａ内に収納されている照度検出部３３７の覆いが外れ、照度検出部３３７の周囲が明るくなる。照度検出部３３７はその明るさを検出し、この検出結果は制御部３３に送られる。制御部３３は照度検出部３３７からの検出結果に基づき電源部３４から表示灯３３２に電源を供給する制御を行い、この結果、表示灯３３２の点灯動作が開始される。作業者においては、この表示灯３３２の点灯動作によって、撮像部３１等の各部に電源部３４から電源供給が正常に行われていることを確認することができ、作業を進めることができる。
【００６４】
電源部３４の故障、配線工事の不備、撮像部３１の故障等の初期異常があった場合には、電源部３４から撮像部３１に電源が供給されないので、表示灯３３２は消灯状態になる。前述のように、撮像装置１と外部ディスプレイとの間を同軸ケーブルによって接続し、各種調節や設定をした後に、このような不具合が発見されると、作業者の作業効率は極めて悪くなる。実施例３に係る撮像装置１においては、各種調節や設定の作業を行う前に、表示灯３３２の点灯動作又は消灯動作に基づいて、電源部３４の故障等の異常を作業者が確認することができ、異常の解析、修復等の作業をその場において実行することができる。
【００６５】
この作業が終了すると、作業者は撮像装置筐体２の収納凹部２Ａにカバー６を取り付けて作業を完全に終了させる。カバー６が取り付けられると撮像装置筐体２とカバー６とにより作り出される内部空間内がカバー６が無いときより暗くなり（照度差が発生し）、照度検出部３３７はその暗さを検出し、この検出結果は制御部３３に送られる。制御部３３は照度検出部３３７からの検出結果に基づき電源部３４から表示灯３３２への電源の供給を遮断し、この結果、表示灯３３２の消灯動作が開始される。
【００６６】
作業終了後、実際に撮像装置１を用いて監視、防犯を目的として映像が撮影される。このとき、表示灯３３２は消灯状態にあるので、カバー６の内面に表示灯３３２から発せられる光が反射して生じる光の映り込みがなく、鮮明な映像を撮影することができる。
【００６７】
［撮像装置の特徴］
実施例３に係る撮像装置１においては、表示灯３３２の点灯動作及び消灯動作を制御する照度検出部３３７を備えたので、撮影のときのカバー６内面の表示灯３３２からの光の反射によって生じる光の映り込みを無くして鮮明な映像を得ることができるとともに、設置作業等における動作状態を表示灯３３２の光により確認することができ、作業効率を向上することができる。実施例３に係る撮像装置１においては、撮像装置筐体２からカバー６を取り外して再度取り付けるまで、表示灯３３２の点灯状態を保持することができる。
【００６８】
更に、撮像装置１においては、高価で複雑な構造を有する機械的スイッチではなく、安価で単純な構造を有する電気的スイッチである照度センサを照度検出部３３７として使用しているので、構造を簡易に実現することができるとともに、製作コストを減少することができる。
【００６９】
［撮像装置の変形例］
実施例３の変形例に係る撮像装置１は、撮像装置筐体２の収納凹部２Ａ内に組み込まれた撮像ユニット３の回路基板３１１に照度検出部３３７を配置するのではなく、図９に示すように、撮像装置筐体２の収納凹部２Ａの内壁（側面）であってカバー６を取り付けたときにその端面に対向する位置に照度検出部３３７を配設している。カバー６の端面は撮像範囲ではないので、端面の照度検出部３３７に対応する領域に部分的にフィルムや金属薄膜がコーティングし易く、照度差を明確にすることができる。
【００７０】
すなわち、撮像装置１の表示灯３３２の点灯動作並びに消灯動作を確実に行うことができ、表示灯３３２の誤動作を防止することができる。
【００７１】
（その他の実施例）
上記のように、本発明を複数の実施例によって記載したが、この開示の一部をなす論述及び図面はこの発明を限定するものでない。本発明は様々な代替実施の形態、実施例及び運用技術に適用することができる。
【００７２】
例えば、前述の実施例は、撮像ユニット３の撮像部３１の撮影方向を手動により固定するタイプの撮像装置１に適用した例を説明したが、本発明は、これに限定されるものではなく、撮影方向を遠隔操作によって自動的に移動させるタイプの撮像装置１に適用することができる。また、本発明は、可視光による撮影に限らず、赤外光による撮影を実施することができる撮像装置に適用することができる。
【産業上の利用可能性】
【００７３】
本発明は、部品点数を削減することができるとともに、作業効率を向上しつつ、カバー内に表示灯から発せられる光が反射して生じる光の映り込みを防止して鮮明な映像を得ることができる撮像装置に広く適用することができる。
【符号の説明】
【００７４】
１…撮像装置、２…撮像装置筐体、２Ａ…収納凹部、３…撮像ユニット、３１…撮像部、３２…信号処理部、３３…制御部、３３Ｔ…タイマー機能、３３１…回路基板、３３２…表示灯、３３５…第１の操作スイッチ（メニュースイッチ）、３３６…第２の操作スイッチ（設定スイッチ）、３３７…照度検出部、３４…電源部、３５…オンスクリーン部、３６…光学レンズ、６…カバー、Ｒ１…第１の抵抗、Ｒ２…第２の抵抗。
【図１】
2011023911.tif 000003
【図２】
2011023911.tif 000004
【図３】
2011023911.tif 000005
【図４】
2011023911.tif 000006
【図５】
2011023911.tif 000007
【図６】
2011023911.tif 000008
【図７】
2011023911.tif 000009
【図８】
2011023911.tif 000010
【図９】
2011023911.tif 000011